(57)【要約】【課題】データを消去したときにインデックス領域に記録可能領域として登録されなくなる領域が発生するのを防ぎ、記録媒体の記録領域を有効に使用できるようにする情報記録方法を提供する。【解決手段】インデックス情報に登録できる記録可能領域のデータ容量の最小値を圧縮方式（エンコードモード）に基づく最小記録時間に換算するとともに（ステップＳ１３）、記録媒体上の各記録可能領域のデータ容量も圧縮方式に基づく記録可能時間に換算し（ステップＳ１４）、記録対象データの全記録時間よりも大きく、且つ記録対象データを記録したときの記録可能残り時間が最小記録時間未満とならない記録可能領域を検索して（ステップＳ１５）、その検索した記録可能領域へ記録対象データの記録を開始する（ステップＳ１６）。【選択図】図１
2006099812.tif 000002
【特許請求の範囲】
【請求項１】
記録媒体上の記録済み領域と記録可能領域を前記記録媒体に記録されているインデックス情報で管理し、前記記録媒体に対するデータアクセス制御と前記データアクセス制御に伴う前記インデックス情報の更新処理を行う情報記録再生装置における情報記録方法であって、
記録対象データの全記録時間および予め設定される圧縮方式を取得する工程と、
前記インデックス情報に登録できる記録可能領域のデータ容量の最小値を前記圧縮方式に基づく最小記録時間に換算する最小記録時間換算工程と、
前記記録媒体上の各記録可能領域のデータ容量を前記圧縮方式に基づく記録可能時間に換算する記録可能時間換算工程と、
前記記録対象データの全記録時間と前記最小記録時間と前記記録可能時間換算工程で換算した記録可能時間とを基に、前記記録対象データの全記録時間よりも大きく、且つ前記記録対象データを記録したときの記録可能残り時間が前記最小記録時間未満とならない記録可能領域を検索する記録可能領域検索工程と、
を備え、前記記録可能領域検索工程で検索した記録可能領域への前記記録対象データの記録を開始することを特徴とする情報記録方法。
【請求項２】
記録媒体上の記録済み領域と記録可能領域を前記記録媒体に記録されているインデックス情報で管理し、前記記録媒体に対するデータアクセス制御と前記データアクセス制御に伴う前記インデックス情報の更新処理を行う情報記録再生装置における情報記録方法であって、
圧縮方式を取得する圧縮方式取得工程と、
前記インデックス情報に登録できる記録可能領域のデータ容量の最小値を前記圧縮方式に基づく最小記録時間に換算する最小記録時間換算工程と、
任意の記録可能領域への記録対象データの記録を開始する記録開始工程と、
データ記録中、記録中の記録可能領域の残りのデータ容量を前記圧縮方式に基づく記録可能残り時間に換算し、該記録可能残り時間から前記最小記録時間を２倍した値を差し引いた差分が所定の値になると、前記記録対象データの記録残り時間が前記最小記録時間以下であるか否かを判定する判定工程と、
前記判定の結果、前記記録対象データの記録残り時間が前記最小記録時間より大きいと、他の記録可能領域を検索する記録可能領域検索工程と、
を備え、前記判定の結果、前記記録対象データの記録残り時間が前記最小記録時間以下のときには、記録中の記録可能領域へ前記記録対象データの残りの記録を開始し、前記最小記録時間より大きいときには、前記記録可能領域検索工程により他の記録可能領域を検索して前記記録開始工程へ戻り、該他の記録可能領域への前記記録対象データの残りの記録を開始することを特徴とする情報記録方法。
【請求項３】
記録媒体上の記録済み領域と記録可能領域を前記記録媒体に記録されているインデックス情報で管理し、前記記録媒体に対するデータアクセス制御と前記データアクセス制御に伴う前記インデックス情報の更新処理を行う情報記録再生装置における情報記録方法であって、
圧縮方式を取得する圧縮方式取得工程と、
前記インデックス情報に登録できる記録可能領域のデータ容量の最小値を前記圧縮方式に基づく最小記録時間に換算する最小記録時間換算工程と、
任意の記録可能領域への記録対象データの記録を開始する記録開始工程と、
データ記録中、記録中の記録可能領域の残りのデータ容量を前記圧縮方式に基づく記録可能残り時間に換算し、該記録可能残り時間から前記最小記録時間を２倍した値を差し引いた差分が所定の値になると、前記記録対象データの記録残り時間が前記最小記録時間より大きく、且つ前記最小記録時間の２倍の値未満であるか否かを判定する第１の判定工程と、
前記第１の判定の結果、前記記録対象データの記録残り時間が前記最小記録時間より大きく、且つ前記最小記録時間の２倍の値未満であると、他の記録可能領域を検索する第１の記録可能領域検索工程と、
前記第１の判定の結果、前記記録対象データの記録残り時間が前記最小記録時間以下か、もしくは、前記最小記録時間の２倍の値以上であると、記録中の記録可能領域へ前記記録対象データの残りの記録を開始し、データ記録中、該記録中の記録可能領域の残りのデータ容量を前記圧縮方式に基づく記録可能残り時間に換算し、該記録可能残り時間から前記最小記録時間を差し引いた差分が所定の値になると、前記記録対象データの記録残り時間が前記最小記録時間の２倍の値未満か否かを判定する第２の判定工程と、
前記第２の判定の結果、前記記録対象データの記録残り時間が前記最小記録時間の２倍の値未満であると、他の記録可能領域を検索する第２の記録可能領域検索工程と、
前記第２の判定の結果、前記記録対象データの記録残り時間が前記最小記録時間の２倍の値以上であると、記録中の記録可能領域へ前記記録対象データの残りの記録を開始し、該記録中の記録可能領域全てにデータを記録した後、他の記録可能領域を検索する第３の記録可能領域検索工程と、
を備え、前記第１ないし第３の記録可能領域検索工程により他の記録可能領域が検索されると前記記録開始工程へ戻り、該他の記録可能領域への前記記録対象データの残りの記録を開始することを特徴とする情報記録方法。
【請求項４】
記録媒体上の記録済み領域と記録可能領域を前記記録媒体に記録されているインデックス情報で管理し、前記記録媒体に対するデータアクセス制御と前記データアクセス制御に伴う前記インデックス情報の更新処理を行う情報記録再生装置における情報記録方法であって、
記録対象データの全記録時間および予め設定される圧縮方式を取得する工程と、
前記インデックス情報に登録できる記録可能領域のデータ容量の最小値を前記圧縮方式に基づく最小記録時間に換算する最小記録時間換算工程と、
前記記録媒体上の各記録可能領域のデータ容量を前記圧縮方式に基づく記録可能時間に換算する記録可能時間換算工程と、
前記記録対象データの全記録時間と前記最小記録時間と前記記録可能時間換算工程で換算した記録可能時間とを基に、前記記録対象データの全記録時間よりも大きく、且つ前記記録対象データを記録したときの記録可能残り時間が前記最小記録時間未満とならない記録可能領域を検索する第１の記録可能領域検索工程と、
前記第１の記録可能領域検索工程により検索した記録可能領域への前記記録対象データの記録を開始する第１の記録開始工程と、
前記第１の記録可能領域検索工程により記録可能領域が検索できなかったとき任意の記録可能領域への前記記録対象データの記録を開始する第２の記録開始工程と、
データ記録中、記録中の記録可能領域の残りのデータ容量を前記圧縮方式に基づく記録可能残り時間に換算し、該記録可能残り時間から前記最小記録時間を２倍した値を差し引いた差分が所定の値になると、前記記録対象データの記録残り時間が前記最小記録時間以下であるか否かを判定する判定工程と、
前記判定の結果、前記記録対象データの記録残り時間が前記最小記録時間より大きいと、他の記録可能領域を検索する第２の記録可能領域検索工程と、
を備え、前記判定の結果、前記記録対象データの記録残り時間が前記最小記録時間以下のときには、記録中の記録可能領域へ前記記録対象データの残りの記録を開始し、前記最小記録時間より大きいときには、前記第２の記録可能領域検索工程により他の記録可能領域を検索して前記第２の記録開始工程へ戻り、該他の記録可能領域への前記記録対象データの残りの記録を開始することを特徴とする情報記録方法。
【請求項５】
記録媒体上の記録済み領域と記録可能領域を前記記録媒体に記録されているインデックス情報で管理し、前記記録媒体に対するデータアクセス制御と前記データアクセス制御に伴う前記インデックス情報の更新処理を行う情報記録再生装置における情報記録方法であって、
記録対象データの全記録時間および予め設定される圧縮方式を取得する工程と、
前記インデックス情報に登録できる記録可能領域のデータ容量の最小値を前記圧縮方式に基づく最小記録時間に換算する最小記録時間換算工程と、
前記記録媒体上の各記録可能領域のデータ容量を前記圧縮方式に基づく記録可能時間に換算する記録可能時間換算工程と、
前記記録対象データの全記録時間と前記最小記録時間と前記記録可能時間換算工程で換算した記録可能時間とを基に、前記記録対象データの全記録時間よりも大きく、且つ前記記録対象データを記録したときの記録可能残り時間が前記最小記録時間未満とならない記録可能領域を検索する第１の記録可能領域検索工程と、
前記第１の記録可能領域検索工程により検索した記録可能領域への前記記録対象データの記録を開始する第１の記録開始工程と、
前記第１の記録可能領域検索工程により記録可能領域が検索できなかったとき任意の記録可能領域への前記記録対象データの記録を開始する第２の記録開始工程と、
データ記録中、記録中の記録可能領域の残りのデータ容量を前記圧縮方式に基づく記録可能残り時間に換算し、該記録可能残り時間から前記最小記録時間を２倍した値を差し引いた差分が所定の値になると、前記記録対象データの記録残り時間が前記最小記録時間より大きく、且つ前記最小記録時間の２倍の値未満であるか否かを判定する第１の判定工程と、
前記第１の判定の結果、前記記録対象データの記録残り時間が前記最小記録時間より大きく、且つ前記最小記録時間の２倍の値未満であると、他の記録可能領域を検索する第２の記録可能領域検索工程と、
前記第１の判定の結果、前記記録対象データの記録残り時間が前記最小記録時間以下か、もしくは、前記最小記録時間の２倍の値以上であると、記録中の記録可能領域へ前記記録対象データの残りの記録を開始し、データ記録中、該記録中の記録可能領域の残りのデータ容量を前記圧縮方式に基づく記録可能残り時間に換算し、該記録可能残り時間から前記最小記録時間を差し引いた差分が所定の値になると、前記記録対象データの記録残り時間が前記最小記録時間の２倍の値未満か否かを判定する第２の判定工程と、
前記第２の判定の結果、前記記録対象データの記録残り時間が前記最小記録時間の２倍の値未満であると、他の記録可能領域を検索する第３の記録可能領域検索工程と、
前記第２の判定の結果、前記記録対象データの記録残り時間が前記最小記録時間の２倍の値以上であると、記録中の記録可能領域へ前記記録対象データの残りの記録を開始し、該記録中の記録可能領域全てにデータを記録した後、他の記録可能領域を検索する第４の記録可能領域検索工程と、
を備え、前記第２ないし第４の記録可能領域検索工程により他の記録可能領域が検索されると前記第２の記録開始工程へ戻り、該他の記録可能領域への前記記録対象データの残りの記録を開始することを特徴とする情報記録方法。
【請求項６】
請求項１記載の情報記録方法において、各工程を実行するに際し、記録対象データの全記録時間と、最小記録時間と、記録可能領域の記録可能時間と、記録可能領域の記録可能残り時間に代えて、記録対象データの全記録時間を前記圧縮方式に基づいて換算したデータ容量と、前記インデックス情報に登録できる記録可能領域のデータ容量の最小値と、記録可能領域のデータ容量と、記録可能領域の残りのデータ容量を用いることを特徴とする情報記録方法。
【請求項７】
請求項２もしくは３のいずれかに記載の情報記録方法において、各工程を実行するに際し、記録対象データの記録残り時間と、最小記録時間と、記録可能領域の記録可能残り時間に代えて、記録対象データの記録残り時間を前記圧縮方式に基づいて換算したデータ容量と、前記インデックス情報に登録できる記録可能領域のデータ容量の最小値と、記録可能領域の残りのデータ容量を用いることを特徴とする情報記録方法。
【請求項８】
請求項４もしくは５のいずれかに記載の情報記録方法において、各工程を実行するに際し、記録対象データの全記録時間および記録残り時間と、最小記録時間と、記録可能領域の記録可能時間と、記録可能領域の記録可能残り時間に代えて、記録対象データの全記録時間及び記録残り時間を前記圧縮方式に基づいて換算したデータ容量と、前記インデックス情報に登録できる記録可能領域のデータ容量の最小値と、記録可能領域のデータ容量と、記録可能領域の残りのデータ容量を用いることを特徴とする情報記録方法。
【発明の詳細な説明】
【技術分野】
【０００１】
本発明は、記録媒体上のデータが記録されている記録済み領域（記録済みデータ）とデータが記録されていない記録可能領域を、記録媒体に記録されているインデックス情報で管理する情報記録再生装置における情報記録方法に関する。
【背景技術】
【０００２】
記録媒体上のデータが記録されている記録済み領域（記録済みデータ）とデータが記録されていない記録可能領域が、記録媒体に記録されているインデックス情報で管理される記録媒体には、例えばＭＤ（ミニディスク）がある。ＭＤにおいては、インデックス情報はＴＯＣ情報と呼ばれる。
【０００３】
ＭＤはトラックの分割、結合、消去、移動などの編集処理やトラックの追加記録を自由に行うことができるが、編集処理や追加記録を繰り返すことにより同じ曲でありながら複数の領域にデータが分散したり、記録可能領域が分散してしまうことがある。
【０００４】
また、ＭＤでは、データが記録されていない領域であっても所定のデータ容量記録できない領域であると記録可能領域としてＴＯＣ情報に登録されない。例えば、図９に示すように、記録対象データａ（記録時間２０分）を記録可能領域Ａ（記録可能時間１８分）と記録可能領域Ｂ（記録可能時間４５分）に分散して記録すると、領域Ｂ内に記録時間２分のデータが記録された領域Ｃが発生する。この領域Ｃが所定のデータ容量記録できない領域である場合、データａを消去したとき、領域Ｃは、ＴＯＣ情報に記録可能領域として登録されない。このように、ＭＤでは、編集処理や追加記録を繰り返すことにより、ＴＯＣ情報に記録可能領域として登録されない領域が発生するという問題があった。
【０００５】
一方、従来より、複数の領域に分散して記録されているデータを、再生順序に合わせると共に、分割された記録可能領域が連続するように並び変える情報記録再生装置が提案されている（例えば、特許文献１参照。）。
【０００６】
しかながら、上述の従来の情報記録再生装置により、複数の領域に分散して記録されているデータを、再生順序に合わせると共に、分割された記録可能領域が連続するように並び変えても、その記録された領域のデータ容量が所定のデータ容量未満である場合には、その領域は記録可能領域としてインデックス情報には登録されず、記録媒体の記録領域を有効に使用できなくなるという問題があった。
【特許文献１】特開平７−１５３２３８号公報
【発明の開示】
【発明が解決しようとする課題】
【０００７】
本発明は、上記問題点に鑑み、インデックス情報に登録できる記録可能領域のデータ容量の最小値を圧縮方式に基づく最小記録時間に換算するとともに、記録媒体上の各記録可能領域のデータ容量も圧縮方式に基づく記録可能時間に換算し、記録対象データの全記録時間よりも大きく、且つ記録対象データを記録したときの記録可能残り時間が最小記録時間未満とならない記録可能領域を検索して、その検索した記録可能領域へ記録対象データの記録を開始することにより、データを消去したときにインデックス領域に記録可能領域として登録されなくなる領域が発生するのを防ぎ、記録媒体の記録領域を有効に使用できるようにする情報記録方法を提供することを目的とする。
【０００８】
また、本発明は、上記問題点に鑑み、インデックス情報に登録できる記録可能領域のデータ容量の最小値を圧縮方式に基づく最小記録時間に換算しておき、データ記録中、記録中の記録可能領域の残りのデータ容量を圧縮方式に基づく記録可能残り時間に換算していき、該記録可能残り時間から最小記録時間を２倍した値を差し引いた差分が所定の値になったときの記録対象データの記録残り時間が最小記録時間以下のときには、記録中の記録可能領域への記録対象データの残りの記録を開始し、最小記録時間より大きいときには、他の記録可能領域を検索して、該他の記録可能領域への記録対象データの残りの記録を開始することにより、データを消去したときにインデックス領域に記録可能領域として登録されなくなる領域が発生するのを防ぎ、記録媒体の記録領域を有効に使用できるようにする情報記録方法を提供することを目的とする。
【０００９】
また、本発明は、上記問題点に鑑み、インデックス情報に登録できる記録可能領域のデータ容量の最小値を圧縮方式に基づく最小記録時間に換算しておき、データ記録中、記録中の記録可能領域の残りのデータ容量を圧縮方式に基づく記録可能残り時間に換算していき、該記録可能残り時間から最小記録時間を２倍した値を差し引いた差分が所定の値になったときの記録対象データの記録残り時間が最小記録時間より大きく、且つ前記最小記録時間の２倍の値未満であると、他の記録可能領域を検索してその領域への記録対象データの残りの記録を開始し、記録対象データの記録残り時間が最小記録時間以下か、もしくは、最小記録時間の２倍の値以上であると、記録中の記録可能領域へ記録対象データの残りの記録を開始し、データ記録中、該記録中の記録可能領域の残りのデータ容量を圧縮方式に基づく記録可能残り時間に換算していき、該記録可能残り時間から最小記録時間を差し引いた差分が所定の値になったときの記録対象データの記録残り時間が最小記録時間の２倍の値未満であると、他の記録可能領域を検索してその領域への記録対象データの残りの記録を開始し、記録対象データの記録残り時間が最小記録時間の２倍の値以上であると、記録中の記録可能領域へ記録対象データの残りの記録を開始し、該記録中の記録可能領域全てにデータを記録した後、他の記録可能領域を検索してその領域への記録対象データの残りの記録を開始することにより、データを消去したときにインデックス領域に記録可能領域として登録されなくなる領域が発生するのを防ぎ、記録媒体の記録領域を有効に使用できるようにする情報記録方法を提供することを目的とする。
【課題を解決するための手段】
【００１０】
本発明の請求項１記載の情報記録方法は、記録媒体上の記録済み領域と記録可能領域を前記記録媒体に記録されているインデックス情報で管理し、前記記録媒体に対するデータアクセス制御と前記データアクセス制御に伴う前記インデックス情報の更新処理を行う情報記録再生装置における情報記録方法であって、記録対象データの全記録時間および予め設定される圧縮方式を取得する工程と、前記インデックス情報に登録できる記録可能領域のデータ容量の最小値を前記圧縮方式に基づく最小記録時間に換算する最小記録時間換算工程と、前記記録媒体上の各記録可能領域のデータ容量を前記圧縮方式に基づく記録可能時間に換算する記録可能時間換算工程と、前記記録対象データの全記録時間と前記最小記録時間と前記記録可能時間換算工程で換算した記録可能時間とを基に、前記記録対象データの全記録時間よりも大きく、且つ前記記録対象データを記録したときの記録可能残り時間が前記最小記録時間未満とならない記録可能領域を検索する記録可能領域検索工程と、を備え、前記記録可能領域検索工程で検索した記録可能領域への前記記録対象データの記録を開始することを特徴とする。
【００１１】
本発明の請求項２記載の情報記録方法は、記録媒体上の記録済み領域と記録可能領域を前記記録媒体に記録されているインデックス情報で管理し、前記記録媒体に対するデータアクセス制御と前記データアクセス制御に伴う前記インデックス情報の更新処理を行う情報記録再生装置における情報記録方法であって、圧縮方式を取得する圧縮方式取得工程と、前記インデックス情報に登録できる記録可能領域のデータ容量の最小値を前記圧縮方式に基づく最小記録時間に換算する最小記録時間換算工程と、任意の記録可能領域への記録対象データの記録を開始する記録開始工程と、データ記録中、記録中の記録可能領域の残りのデータ容量を前記圧縮方式に基づく記録可能残り時間に換算し、該記録可能残り時間から前記最小記録時間を２倍した値を差し引いた差分が所定の値になると、前記記録対象データの記録残り時間が前記最小記録時間以下であるか否かを判定する判定工程と、前記判定の結果、前記記録対象データの記録残り時間が前記最小記録時間より大きいと、他の記録可能領域を検索する記録可能領域検索工程と、を備え、前記判定の結果、前記記録対象データの記録残り時間が前記最小記録時間以下のときには、記録中の記録可能領域へ前記記録対象データの残りの記録を開始し、前記最小記録時間より大きいときには、前記記録可能領域検索工程により他の記録可能領域を検索して前記記録開始工程へ戻り、該他の記録可能領域への前記記録対象データの残りの記録を開始することを特徴とする。
【００１２】
本発明の請求項３記載の情報記録方法は、記録媒体上の記録済み領域と記録可能領域を前記記録媒体に記録されているインデックス情報で管理し、前記記録媒体に対するデータアクセス制御と前記データアクセス制御に伴う前記インデックス情報の更新処理を行う情報記録再生装置における情報記録方法であって、圧縮方式を取得する圧縮方式取得工程と、前記インデックス情報に登録できる記録可能領域のデータ容量の最小値を前記圧縮方式に基づく最小記録時間に換算する最小記録時間換算工程と、任意の記録可能領域への記録対象データの記録を開始する記録開始工程と、データ記録中、記録中の記録可能領域の残りのデータ容量を前記圧縮方式に基づく記録可能残り時間に換算し、該記録可能残り時間から前記最小記録時間を２倍した値を差し引いた差分が所定の値になると、前記記録対象データの記録残り時間が前記最小記録時間より大きく、且つ前記最小記録時間の２倍の値未満であるか否かを判定する第１の判定工程と、前記第１の判定の結果、前記記録対象データの記録残り時間が前記最小記録時間より大きく、且つ前記最小記録時間の２倍の値未満であると、他の記録可能領域を検索する第１の記録可能領域検索工程と、前記第１の判定の結果、前記記録対象データの記録残り時間が前記最小記録時間以下か、もしくは、前記最小記録時間の２倍の値以上であると、記録中の記録可能領域へ前記記録対象データの残りの記録を開始し、データ記録中、該記録中の記録可能領域の残りのデータ容量を前記圧縮方式に基づく記録可能残り時間に換算し、該記録可能残り時間から前記最小記録時間を差し引いた差分が所定の値になると、前記記録対象データの記録残り時間が前記最小記録時間の２倍の値未満か否かを判定する第２の判定工程と、前記第２の判定の結果、前記記録対象データの記録残り時間が前記最小記録時間の２倍の値未満であると、他の記録可能領域を検索する第２の記録可能領域検索工程と、前記第２の判定の結果、前記記録対象データの記録残り時間が前記最小記録時間の２倍の値以上であると、記録中の記録可能領域へ前記記録対象データの残りの記録を開始し、該記録中の記録可能領域全てにデータを記録した後、他の記録可能領域を検索する第３の記録可能領域検索工程と、を備え、前記第１ないし第３の記録可能領域検索工程により他の記録可能領域が検索されると前記記録開始工程へ戻り、該他の記録可能領域への前記記録対象データの残りの記録を開始することを特徴とする。
【００１３】
本発明の請求項４記載の情報記録方法は、記録媒体上の記録済み領域と記録可能領域を前記記録媒体に記録されているインデックス情報で管理し、前記記録媒体に対するデータアクセス制御と前記データアクセス制御に伴う前記インデックス情報の更新処理を行う情報記録再生装置における情報記録方法であって、記録対象データの全記録時間および予め設定される圧縮方式を取得する工程と、前記インデックス情報に登録できる記録可能領域のデータ容量の最小値を前記圧縮方式に基づく最小記録時間に換算する最小記録時間換算工程と、前記記録媒体上の各記録可能領域のデータ容量を前記圧縮方式に基づく記録可能時間に換算する記録可能時間換算工程と、前記記録対象データの全記録時間と前記最小記録時間と前記記録可能時間換算工程で換算した記録可能時間とを基に、前記記録対象データの全記録時間よりも大きく、且つ前記記録対象データを記録したときの記録可能残り時間が前記最小記録時間未満とならない記録可能領域を検索する第１の記録可能領域検索工程と、前記第１の記録可能領域検索工程により検索した記録可能領域への前記記録対象データの記録を開始する第１の記録開始工程と、前記第１の記録可能領域検索工程により記録可能領域が検索できなかったとき任意の記録可能領域への前記記録対象データの記録を開始する第２の記録開始工程と、データ記録中、記録中の記録可能領域の残りのデータ容量を前記圧縮方式に基づく記録可能残り時間に換算し、該記録可能残り時間から前記最小記録時間を２倍した値を差し引いた差分が所定の値になると、前記記録対象データの記録残り時間が前記最小記録時間以下であるか否かを判定する判定工程と、前記判定の結果、前記記録対象データの記録残り時間が前記最小記録時間より大きいと、他の記録可能領域を検索する第２の記録可能領域検索工程と、を備え、前記判定の結果、前記記録対象データの記録残り時間が前記最小記録時間以下のときには、記録中の記録可能領域へ前記記録対象データの残りの記録を開始し、前記最小記録時間より大きいときには、前記第２の記録可能領域検索工程により他の記録可能領域を検索して前記第２の記録開始工程へ戻り、該他の記録可能領域への前記記録対象データの残りの記録を開始することを特徴とする。
【００１４】
本発明の請求項５記載の情報記録方法は、記録媒体上の記録済み領域と記録可能領域を前記記録媒体に記録されているインデックス情報で管理し、前記記録媒体に対するデータアクセス制御と前記データアクセス制御に伴う前記インデックス情報の更新処理を行う情報記録再生装置における情報記録方法であって、記録対象データの全記録時間および予め設定される圧縮方式を取得する工程と、前記インデックス情報に登録できる記録可能領域のデータ容量の最小値を前記圧縮方式に基づく最小記録時間に換算する最小記録時間換算工程と、前記記録媒体上の各記録可能領域のデータ容量を前記圧縮方式に基づく記録可能時間に換算する記録可能時間換算工程と、前記記録対象データの全記録時間と前記最小記録時間と前記記録可能時間換算工程で換算した記録可能時間とを基に、前記記録対象データの全記録時間よりも大きく、且つ前記記録対象データを記録したときの記録可能残り時間が前記最小記録時間未満とならない記録可能領域を検索する第１の記録可能領域検索工程と、前記第１の記録可能領域検索工程により検索した記録可能領域への前記記録対象データの記録を開始する第１の記録開始工程と、前記第１の記録可能領域検索工程により記録可能領域が検索できなかったとき任意の記録可能領域への前記記録対象データの記録を開始する第２の記録開始工程と、データ記録中、記録中の記録可能領域の残りのデータ容量を前記圧縮方式に基づく記録可能残り時間に換算し、該記録可能残り時間から前記最小記録時間を２倍した値を差し引いた差分が所定の値になると、前記記録対象データの記録残り時間が前記最小記録時間より大きく、且つ前記最小記録時間の２倍の値未満であるか否かを判定する第１の判定工程と、前記第１の判定の結果、前記記録対象データの記録残り時間が前記最小記録時間より大きく、且つ前記最小記録時間の２倍の値未満であると、他の記録可能領域を検索する第２の記録可能領域検索工程と、前記第１の判定の結果、前記記録対象データの記録残り時間が前記最小記録時間以下か、もしくは、前記最小記録時間の２倍の値以上であると、記録中の記録可能領域へ前記記録対象データの残りの記録を開始し、データ記録中、該記録中の記録可能領域の残りのデータ容量を前記圧縮方式に基づく記録可能残り時間に換算し、該記録可能残り時間から前記最小記録時間を差し引いた差分が所定の値になると、前記記録対象データの記録残り時間が前記最小記録時間の２倍の値未満か否かを判定する第２の判定工程と、前記第２の判定の結果、前記記録対象データの記録残り時間が前記最小記録時間の２倍の値未満であると、他の記録可能領域を検索する第３の記録可能領域検索工程と、前記第２の判定の結果、前記記録対象データの記録残り時間が前記最小記録時間の２倍の値以上であると、記録中の記録可能領域へ前記記録対象データの残りの記録を開始し、該記録中の記録可能領域全てにデータを記録した後、他の記録可能領域を検索する第４の記録可能領域検索工程と、を備え、前記第２ないし第４の記録可能領域検索工程により他の記録可能領域が検索されると前記第２の記録開始工程へ戻り、該他の記録可能領域への前記記録対象データの残りの記録を開始することを特徴とする。
【００１５】
本発明の請求項６記載の情報記録方法は、請求項１記載の情報記録方法において、各工程を実行するに際し、記録対象データの全記録時間と、最小記録時間と、記録可能領域の記録可能時間と、記録可能領域の記録可能残り時間に代えて、記録対象データの全記録時間を前記圧縮方式に基づいて換算したデータ容量と、前記インデックス情報に登録できる記録可能領域のデータ容量の最小値と、記録可能領域のデータ容量と、記録可能領域の残りのデータ容量を用いることを特徴とする。
【００１６】
本発明の請求項７記載の情報記録方法は、請求項２もしくは３のいずれかに記載の情報記録方法において、各工程を実行するに際し、記録対象データの記録残り時間と、最小記録時間と、記録可能領域の記録可能残り時間に代えて、記録対象データの記録残り時間を前記圧縮方式に基づいて換算したデータ容量と、前記インデックス情報に登録できる記録可能領域のデータ容量の最小値と、記録可能領域の残りのデータ容量を用いることを特徴とする。
【００１７】
本発明の請求項８記載の情報記録方法は、請求項４もしくは５のいずれかに記載の情報記録方法において、各工程を実行するに際し、記録対象データの全記録時間および記録残り時間と、最小記録時間と、記録可能領域の記録可能時間と、記録可能領域の記録可能残り時間に代えて、記録対象データの全記録時間及び記録残り時間を前記圧縮方式に基づいて換算したデータ容量と、前記インデックス情報に登録できる記録可能領域のデータ容量の最小値と、記録可能領域のデータ容量と、記録可能領域の残りのデータ容量を用いることを特徴とする。
【発明の効果】
【００１８】
本発明によれば、データを消去したときにインデックス領域に記録可能領域として登録されなくなる領域が発生するのを防ぎ、記録媒体の記録領域を有効に使用できるようになる。また、記録対象データの全記録時間や記録残り時間を圧縮方式に基づくデータ容量に換算し、時間の情報に代えてデータ容量の情報を用いることにより、圧縮方式が固定圧縮率ではなく可変圧縮率で、データ容量から時間への換算ができない場合でも、本発明の実現が可能となる。
【発明を実施するための最良の形態】
【００１９】
以下、本発明の実施の形態について図面を参照しながら説明する。なお、本実施の形態では、ＭＤ（ミニディスク）に対してデータの記録・再生・編集処理を行うＭＤ記録再生装置（情報記録再生装置）を例に説明を行う。
【００２０】
ＭＤ記録再生装置は、ＭＤ上の記録済み領域（記録済みデータ）と記録可能領域をＭＤに記録されているインデックス情報で管理する。また、ＭＤに対して、トラックの分割、結合、消去、移動などの編集処理やトラックの追加記録を自由に行うことができる。また、ＭＤに対するデータアクセス制御に伴ってインデックス情報の更新処理も行う。
【００２１】
（実施の形態１）
図１は、本実施の形態１における情報記録方法のフローチャートを示す図である。
ＭＤ記録再生装置は、まず、ステップＳ１１（全記録時間取得工程）において、記録対象データの全記録時間を取得する。次に、ステップＳ１２（圧縮方式取得工程）において、記録対象データの圧縮方式（エンコードモード）を取得する。例えばＭＤの圧縮方式には、ＡＴＲＡＣ・ＳＰモード、ＡＴＲＡＣ・ＬＰ２モード、ＡＴＲＡＣ・ＬＰ４モードなどがあり、データ記録前にユーザにより予め設定される。このように、ここでは、ステップＳ１１、Ｓ１２により、記録対象データの全記録時間および予め設定される圧縮方式を取得する工程が構成される。
【００２２】
次に、ＭＤ記録再生装置は、ステップＳ１３（最小記録時間換算工程）において、インデックス情報に登録できる記録可能領域のデータ容量の最小値をステップＳ１２で取得した圧縮方式に基づく時間に換算して、最小記録時間を算出する。例えばＭＤでは、インデックス情報に登録できる記録可能領域のデータ容量の最小値は６セクタであり、ステップＳ１２で取得した圧縮方式に基づいて６セクタを時間に換算する。
【００２３】
次に、ＭＤ記録再生装置は、ステップＳ１４（記録可能時間換算工程）において、インデックス情報とステップＳ１２で取得した圧縮方式を用いて、ＭＤ上の各記録可能領域のデータ容量を圧縮方式に基づく時間に換算し、各記録可能時間を算出する。
【００２４】
次に、ＭＤ記録再生装置は、ステップＳ１５（記録可能領域検索工程）において、ステップＳ１１で取得した記録対象データの全記録時間とステップＳ１３で換算した最小記録時間とステップＳ１４で換算した各記録可能時間とを基に、記録対象データの全記録時間よりも長く、且つ記録対象データを記録したときの記録可能残り時間が最小記録時間未満とならない記録可能領域、もしくは記録可能時間が記録対象データの全記録時間と等しい記録可能領域を検索する。そして、ステップＳ１６（記録開始工程）において、ステップＳ１５で検索した領域への記録対象データの記録を開始する。
【００２５】
続いて、図２を用いて、本実施の形態１における情報記録方法によるデータ記録配置を説明する。図２に示す例では、記録対象データの記録時間が２０分、最小記録時間が３分であり、ＭＤ上に記録可能領域として記録可能時間１８分の領域と記録可能時間４５分の領域が存在する。この場合、記録対象データの記録時間が２０分、最小記録時間が３分であるので、記録可能時間４５分の領域へのデータ記録が行われる。このようにすれば、最小記録時間（３分）より小さい領域の発生を防ぐことができる。
【００２６】
（実施の形態２）
図３は、本実施の形態２における情報記録方法のフローチャートを示す図である。
ＭＤ記録再生装置は、まず、ステップＳ２１（圧縮方式取得工程）において、記録対象データの圧縮方式（エンコードモード）を取得する。
【００２７】
次に、ＭＤ記録再生装置は、ステップＳ２２（最小記録時間換算工程）において、インデックス情報に登録できる記録可能領域のデータ容量の最小値をステップＳ２１で取得した圧縮方式に基づく時間に換算して、最小記録時間を算出する。
【００２８】
次に、ＭＤ記録再生装置は、ステップＳ２３（記録開始工程）において、任意の記録可能領域への記録対象データの記録を開始する。ＭＤ記録再生装置は、データ記録中に、ステップＳ２４（第１の比較工程）において、インデックス情報と圧縮方式を用いて、記録を行っている領域の残りのデータ容量を圧縮方式に基づく時間に換算し、記録可能残り時間を算出してステップＳ２２で取得した最小記録時間を２倍した値と比較する。
【００２９】
記録を行っている領域の記録可能残り時間が最小記録時間の２倍の値になると（ステップＳ２４のＮｏ）、ＭＤ記録再生装置は、ステップＳ２５（記録残り時間取得工程）において記録対象データの記録残り時間を取得する。このように、ここでは、記録を行っている領域の記録可能残り時間から最小記録時間の２倍の値を差し引いた差分が“０（所定の値）”になると、記録対象データの記録残り時間を取得する。
【００３０】
そして、ＭＤ記録再生装置は、ステップＳ２６（第２の比較工程）において、記録対象データの記録残り時間と最小記録時間とを比較し、記録対象データの記録残り時間が最小記録時間以下であるか否かを判定する。このように、ここでは、ステップＳ２４ないしＳ２６により、データ記録中、記録中の記録可能領域の残りのデータ容量を圧縮方式に基づく記録可能残り時間に換算し、該記録可能残り時間から最小記録時間を２倍した値を差し引いた差分が所定の値になると、記録対象データの記録残り時間が最小記録時間以下であるか否かを判定する判定工程が構成される。
【００３１】
ＭＤ記録再生装置は、記録対象データの記録残り時間が最小記録時間以下の場合には（ステップＳ２６のＮｏ）、ステップＳ２７（記録継続工程）において、現在記録を行っている領域への記録対象データの残りの記録を開始する。記録対象データの記録残り時間が最小記録時間より大きい場合には（ステップＳ２６のＹｅｓ）、ステップＳ２８（記録可能領域検索工程）において他の記録可能領域をサーチ（検索）してステップＳ２３へ戻り、該他の記録可能領域へのデータ記録を開始する。
【００３２】
続いて、図４を用いて、本実施の形態２における情報記録方法によるデータ記録配置を説明する。図４に示す例では、最小記録時間が３分であり、ＭＤ上に記録可能領域として記録可能時間４５分の領域が２つ存在する。
【００３３】
記録を行っている領域の記録可能残り時間が最小記録時間３分を２倍した値である６分になると、ＭＤ記録再生装置は、記録対象データの記録残り時間を取得して最小記録時間３分と比較する。
【００３４】
記録対象データの記録残り時間が最小記録時間以下の場合には（例えば３分）、現在記録を行っている領域へ記録対象データの残りを記録する（図４（Ａ）参照。）。記録対象データの記録残り時間が最小記録時間より大きい場合には（例えば４分）、他の記録可能領域をサーチする。図４に示す例では、次の記録可能領域の記録可能時間が４５分であるので、記録対象データの残りはこの領域に記録される（図４（Ｂ）参照。）。以上のようにすれば、最小記録時間（３分）より小さい領域の発生を防ぐことができる。
【００３５】
（実施の形態３）
図５は、本実施の形態３における情報記録方法のフローチャートを示す図である。
ＭＤ記録再生装置は、まず、ステップＳ３１（圧縮方式取得工程）において、記録対象データの圧縮方式（エンコードモード）を取得する。
【００３６】
次に、ＭＤ記録再生装置は、ステップＳ３２（最小記録時間換算工程）において、インデックス情報に登録できる記録可能領域のデータ容量の最小値をステップＳ３１で取得した圧縮方式に基づく時間に換算して、最小記録時間を算出する。
【００３７】
次に、ＭＤ記録再生装置は、ステップＳ３３（記録開始工程）において、任意の記録可能領域への記録対象データの記録を開始する。ＭＤ記録再生装置は、データ記録中に、ステップＳ３４（第１の比較工程）において、インデックス情報と圧縮方式を用いて、記録を行っている領域の残りのデータ容量を圧縮方式に基づく時間に換算し、記録可能残り時間を算出してステップＳ３２で取得した最小記録時間を２倍した値と比較する。
【００３８】
記録を行っている領域の記録可能残り時間が最小記録時間の２倍の値になると（ステップＳ３４のＮｏ）、ＭＤ記録再生装置は、ステップＳ３５（第１の記録残り時間取得工程）において記録対象データの記録残り時間を取得する。このように、ここでは、記録を行っている領域の記録可能残り時間から最小記録時間の２倍の値を差し引いた差分が“０（所定の値）”になると、記録対象データの記録残り時間を取得する。
【００３９】
そして、ＭＤ記録再生装置は、ステップＳ３６（第２の比較工程）において、記録対象データの記録残り時間と最小記録時間及び最小記録時間の２倍の値を比較し、記録対象データの記録残り時間が最小記録時間より大きく、且つ最小記録時間の２倍の値未満であるか否かを判定する。このように、ここでは、ステップＳ３４ないしＳ３６により、データ記録中、記録中の記録可能領域の残りのデータ容量を圧縮方式に基づく記録可能残り時間に換算し、該記録可能残り時間から最小記録時間を２倍した値を差し引いた差分が所定の値になると、記録対象データの記録残り時間が最小記録時間より大きく、且つ最小記録時間の２倍の値未満であるか否かを判定する第１の判定工程が構成される。
【００４０】
記録対象データの記録残り時間が最小記録時間より大きく、且つ最小記録時間の２倍未満の場合には（ステップＳ３６のＹｅｓ）、ＭＤ記録再生装置は、ステップＳ３７（第１の記録可能領域検索工程）において、他の記録可能領域をサーチ（検索）して、ステップＳ３３へ戻り、該他の記録可能領域へのデータ記録を開始する。
【００４１】
記録対象データの記録残り時間が最小記録時間以下か、もしくは、最小記録時間の２倍の値以上の場合には（ステップＳ３６のＮｏ）、ＭＤ記録再生装置は、ステップＳ３８（第１の記録継続工程）において現在記録を行っている領域へのデータ記録を再開する。そして、ステップＳ３８で再開されたデータ記録中に、ステップＳ３９（第３の比較工程）において、インデックス情報と圧縮方式を用いて、記録を行っている領域の残りのデータ容量を圧縮方式に基づく時間に換算し、記録可能残り時間を算出して最小記録時間と比較する。
【００４２】
記録を行っている領域の記録可能残り時間が最小記録時間になると（ステップＳ３９のＮｏ）、ＭＤ記録再生装置は、ステップＳ４０（第２の記録残り時間取得工程）において記録対象データの記録残り時間を取得する。このように、ここでは、記録を行っている領域の記録可能残り時間から最小記録時間を差し引いた差分が“０（所定の値）”になると、記録対象データの記録残り時間を取得する。
【００４３】
そして、ＭＤ記録再生装置は、ステップＳ４１（第４の比較工程）において、記録対象データの記録残り時間と最小記録時間の２倍の値とを比較し、記録対象データの記録残り時間が最小記録時間の２倍の値未満か否かを判定する。このように、ここでは、ステップＳ３８ないし４１により、第１の判定の結果、記録対象データの記録残り時間が最小記録時間以下か、もしくは、最小記録時間の２倍の値以上であると、記録中の記録可能領域へ記録対象データの残りの記録を開始し、データ記録中、該記録中の記録可能領域の残りのデータ容量を圧縮方式に基づく記録可能残り時間に換算し、該記録可能残り時間から最小記録時間を差し引いた差分が所定の値になると、記録対象データの記録残り時間が最小記録時間の２倍の値未満か否かを判定する第２の判定工程が構成される。
【００４４】
記録対象データの記録残り時間が最小記録時間の２倍の値未満の場合には（ステップＳ４１のＹｅｓ）、ＭＤ記録再生装置は、ステップＳ４２（第２の記録可能領域検索工程）において他の記録可能領域をサーチ（検索）して、ステップＳ３３へ戻り、該他の記録可能領域へのデータ記録を開始する。
【００４５】
記録対象データの記録残り時間が最小記録時間の２倍の値以上の場合には（ステップＳ４１のＮｏ）、ＭＤ記録再生装置は、ステップＳ４３（第２の記録継続工程）において、現在記録を行っている領域へのデータ記録を再開し、この領域全てにデータを記録した後、ステップＳ４４（第３の記録可能領域検索工程）において、他の記録可能領域をサーチして、ステップＳ３３へ戻り、該他の記録可能領域へのデータ記録を開始する。
【００４６】
続いて、図６を用いて、本実施の形態３における情報記録方法によるデータ記録配置を説明する。図６に示す例では、最小記録時間が３分であり、ＭＤ上に記録可能領域として記録可能時間４５分の領域が２つ存在する。
【００４７】
記録を行っている領域の記録可能残り時間が最小記録時間（３分）の２倍の値である６分になると、ＭＤ記録再生装置は、記録対象データの記録残り時間を取得して最小記録時間及び最小記録時間の２倍の値と比較する。
【００４８】
記録対象データの記録残り時間が最小記録時間より大きく、且つ最小記録時間の２倍未満の場合には（例えば、４分）、ＭＤ記録再生装置は、他の記録可能領域をサーチする。図６に示す例では、次の記録可能領域の記録可能時間が４５分であるので、記録対象データの残りはこの領域に記録される（図６（Ａ）参照。）。
【００４９】
記録対象データの記録残り時間が最小記録時間３分以下か、もしくは、最小記録時間の２倍の値である６分以上の場合には、ＭＤ記録再生装置は、現在記録を行っている領域へのデータ記録を続行する。
【００５０】
このとき、記録対象データの記録残り時間が最小記録時間以下の場合には（例えば３分）、記録対象データは図６（Ｂ）に示すように記録される。記録を行っている領域の記録可能残り時間が最小記録時間３分になると、ＭＤ記録再生装置は、記録対象データの記録残り時間を取得して、最小記録時間の２倍の値である６分と比較する。
【００５１】
記録対象データの記録残り時間が最小記録時間の２倍の値未満の場合には（例えば４分）、ＭＤ記録再生装置は、他の記録可能領域をサーチする。図６に示す例では、次の記録可能領域の記録可能時間が４５分であるので、記録対象データの残りはこの領域に記録される（図６（Ｃ）参照。）。
【００５２】
記録対象データの記録残り時間が最小記録時間の２倍の値以上の場合には（例えば６分）、ＭＤ記録再生装置は、現在記録を行っている領域へのデータ記録を続行し、この領域全てにデータを記録した後、他の記録可能領域をサーチする。図６に示す例では、次の記録可能領域の記録可能時間が４５分であるので、記録対象データの残りはこの領域に記録される（図６（Ｄ）参照。）。以上のようにすれば、最小記録時間（３分）より小さい領域の発生を防ぐことができる。
【００５３】
（実施の形態４）
図７は、本実施の形態４における情報記録方法のフローチャートを示す図である。本実施の形態４における情報記録方法のステップＳ５１〜ステップＳ５６は、実施の形態１における情報記録方法と同様である。また、ステップＳ５７以降は、実施の形態２における情報記録方法（ステップＳ２３〜ステップＳ２８）と同様である。
【００５４】
つまり、ＭＤ記録再生装置は、まず、ステップＳ５１（全記録時間取得工程）とステップＳ５２（圧縮方式取得工程）において、記録対象データの全記録時間および予め設定される記録対象データの圧縮方式（エンコードモード）を取得する。このように、ここでは、ステップＳ５１、Ｓ５２により、記録対象データの全記録時間および予め設定される圧縮方式を取得する工程が構成される。
【００５５】
次に、ＭＤ記録再生装置は、ステップＳ５３（最小記録時間換算工程）において、インデックス情報に登録できる記録可能領域のデータ容量の最小値をステップＳ５２で取得した圧縮方式に基づく時間に換算して、最小記録時間を算出する。
【００５６】
次に、ＭＤ記録再生装置は、ステップＳ５４（記録可能時間換算工程）において、インデックス情報とステップＳ５２で取得した圧縮方式を用いて、ＭＤ上の各記録可能領域のデータ容量を圧縮方式に基づく時間に換算し、各記録可能時間を算出する。
【００５７】
次に、ＭＤ記録再生装置は、ステップＳ５５（第１の記録可能領域検索工程）において、ステップＳ５１で取得した記録対象データの全記録時間ＡとステップＳ５３で換算した最小記録時間ＢとステップＳ５４で換算した各記録可能時間Ｃとを基に、記録対象データの全記録時間よりも長く、且つ記録対象データを記録したときの記録可能残り時間が最小記録時間未満とならない記録可能領域、もしくは記録可能時間が記録対象データの全記録時間と等しい記録可能領域を検索する。そして、ステップＳ５５において条件に該当する領域が検索された場合（ステップＳ５５のＹｅｓ）、ステップＳ５６（第１の記録開始工程）において検索した領域への記録対象データの記録を開始する。
【００５８】
一方、ステップＳ５５において条件に該当する領域を検索できなかった場合（ステップＳ５５のＮｏ）、ＭＤ記録再生装置は、ステップＳ５７（第２の記録開始工程）において、任意の記録可能領域への記録対象データの記録を開始し、ステップＳ５８（第１の比較工程）において、データ記録中に、記録を行っている領域の記録可能残り時間とステップＳ５３で取得した最小記録時間を２倍した値とを比較する。
【００５９】
記録を行っている領域の記録可能残り時間が最小記録時間の２倍の値になると（ステップＳ５８のＮｏ）、ＭＤ記録再生装置は、ステップＳ５９（記録残り時間取得工程）において、記録対象データの記録残り時間を取得する。このように、ここでは、記録を行っている領域の記録可能残り時間から最小記録時間の２倍の値を差し引いた差分が“０（所定の値）”になると、記録対象データの記録残り時間を取得する。
【００６０】
そして、ＭＤ記録再生装置は、ステップＳ６０（第２の比較工程）において、記録対象データの記録残り時間と最小記録時間とを比較し、記録対象データの記録残り時間が最小記録時間以下であるか否かを判定する。このように、ここでは、ステップＳ５８ないしＳ６０により、データ記録中、記録中の記録可能領域の残りのデータ容量を圧縮方式に基づく記録可能残り時間に換算し、該記録可能残り時間から最小記録時間を２倍した値を差し引いた差分が所定の値になると、記録対象データの記録残り時間が最小記録時間以下であるか否かを判定する判定工程が構成される。
【００６１】
ＭＤ記録再生装置は、記録対象データの記録残り時間が最小記録時間以下の場合には（ステップＳ６０のＮｏ）、ステップＳ６１（記録継続工程）において、現在記録を行っている領域への記録対象データの残りの記録を開始する。記録対象データの記録残り時間が最小記録時間より大きい場合には（ステップＳ６０のＹｅｓ）、ステップＳ６２（第２の記録可能領域検索工程）において他の記録可能領域をサーチ（検索）してステップＳ５７へ戻り、該他の記録可能領域へのデータ記録を開始する。
【００６２】
なお、本実施の形態４では、実施の形態２における情報記録方法（ステップＳ２３〜ステップＳ２８）を用いたが、実施の形態３における情報記録方法（ステップＳ３３〜ステップＳ４４）を適用してもよい。図８にそのフローチャートを示す。図８において、ステップＳ７１〜ステップＳ７６は、実施の形態１における情報記録方法と同様である。また、ステップＳ７７以降は、実施の形態４における情報記録方法（ステップＳ３３〜ステップＳ４４）と同様である。
【００６３】
すなわち、ステップＳ７５において条件に該当する領域を検索できなかった場合（ステップＳ７５のＮｏ）、ＭＤ記録再生装置は、ステップＳ７７（第２の記録開始工程）において、任意の記録可能領域への記録対象データの記録を開始する。ＭＤ記録再生装置は、データ記録中に、ステップＳ７８（第１の比較工程）において、記録を行っている領域の記録可能残り時間を算出して最小記録時間を２倍した値と比較する。
【００６４】
記録を行っている領域の記録可能残り時間が最小記録時間の２倍の値になると（ステップＳ７８のＮｏ）、ＭＤ記録再生装置は、ステップＳ７９（第１の記録残り時間取得工程）において記録対象データの記録残り時間を取得する。このように、ここでは、記録を行っている領域の記録可能残り時間から最小記録時間の２倍の値を差し引いた差分が“０（所定の値）”になると、記録対象データの記録残り時間を取得する。
【００６５】
そして、ＭＤ記録再生装置は、ステップＳ８０（第２の比較工程）において、記録対象データの記録残り時間と最小記録時間及び最小記録時間の２倍の値とを比較し、記録対象データの記録残り時間が最小記録時間より大きく、且つ最小記録時間の２倍の値未満であるか否かを判定する。このように、ここでは、ステップＳ７８ないしＳ８０により、データ記録中、記録中の記録可能領域の残りのデータ容量を圧縮方式に基づく記録可能残り時間に換算し、該記録可能残り時間から最小記録時間を２倍した値を差し引いた差分が所定の値になると、記録対象データの記録残り時間が最小記録時間より大きく、且つ最小記録時間の２倍の値未満であるか否かを判定する第１の判定工程が構成される。
【００６６】
記録対象データの記録残り時間が最小記録時間より大きく、且つ最小記録時間の２倍未満の場合には（ステップＳ８０のＹｅｓ）、ＭＤ記録再生装置は、ステップＳ８１（第２の記録可能領域検索工程）において、他の記録可能領域をサーチ（検索）して、ステップＳ７７へ戻り、該他の記録可能領域へのデータ記録を開始する。
【００６７】
記録対象データの記録残り時間が最小記録時間以下か、もしくは、最小記録時間の２倍の値以上の場合には（ステップＳ８０のＮｏ）、ＭＤ記録再生装置は、ステップＳ８２（第１の記録継続工程）において現在記録を行っている領域へのデータ記録を再開する。そして、ステップＳ８２で再開されたデータ記録中に、ステップＳ８３（第３の比較工程）において、記録を行っている領域の記録可能残り時間を算出して最小記録時間と比較する。
【００６８】
記録を行っている領域の記録可能残り時間が最小記録時間になると（ステップＳ８３のＮｏ）、ＭＤ記録再生装置は、ステップＳ８４（第２の記録残り時間取得工程）において記録対象データの記録残り時間を取得する。このように、ここでは、記録を行っている領域の記録可能残り時間から最小記録時間を差し引いた差分が“０（所定の値）”になると、記録対象データの記録残り時間を取得する。
【００６９】
そして、ＭＤ記録再生装置は、ステップＳ８５（第４の比較工程）において、記録対象データの記録残り時間と最小記録時間の２倍の値とを比較し、記録対象データの記録残り時間が最小記録時間の２倍の値未満か否かを判定する。このように、ここでは、ステップＳ８２ないし８５により、第１の判定の結果、記録対象データの記録残り時間が最小記録時間以下か、もしくは、最小記録時間の２倍の値以上であると、記録中の記録可能領域へ記録対象データの残りの記録を開始し、データ記録中、該記録中の記録可能領域の残りのデータ容量を圧縮方式に基づく記録可能残り時間に換算し、該記録可能残り時間から最小記録時間を差し引いた差分が所定の値になると、記録対象データの記録残り時間が最小記録時間の２倍の値未満か否かを判定する第２の判定工程が構成される。
【００７０】
記録対象データの記録残り時間が最小記録時間の２倍の値未満の場合には（ステップＳ８５のＹｅｓ）、ＭＤ記録再生装置は、ステップＳ８６（第３の記録可能領域検索工程）において他の記録可能領域をサーチ（検索）して、ステップＳ７７へ戻り、該他の記録可能領域へのデータ記録を開始する。
【００７１】
記録対象データの記録残り時間が最小記録時間の２倍の値以上の場合には（ステップＳ８５のＮｏ）、ＭＤ記録再生装置は、ステップＳ８７（第２の記録継続工程）において、現在記録を行っている領域へのデータ記録を再開し、この領域全てにデータを記録した後、ステップＳ８８（第４の記録可能領域検索工程）において、他の記録可能領域をサーチして、ステップＳ７７へ戻り、該他の記録可能領域へのデータ記録を開始する。
【００７２】
以上のように、上記の実施の形態１ないし４によれば、データを消去したときにインデックス領域に記録可能領域として登録されなくなる領域が発生するのを防ぎ、記録媒体の記録領域を有効に使用できるようになる。つまり、記録媒体に分散して記録されたトラックの一部分が最小記録時間よりも短い領域となるのを防ぎ、このトラックを編集により消去した場合に、記録可能領域としてインデックス情報に登録できない領域が発生することを防ぐことができる。
【００７３】
なお、上記の実施の形態１ないし４では、圧縮方式を基に記録可能時間や最小記録時間などを求めたが、圧縮方式を基に記録対象データの全記録時間と記録残り時間をデータ容量に換算し、時間の情報に代えてデータ容量の情報を用いることによっても上記の実施の形態１ないし４を実施することができる。データ容量を用いることにより、圧縮方式が固定圧縮率ではなく可変圧縮率で、データ容量から時間へ変換ができない場合でも、上記の実施の形態１ないし４の実施が可能となる。
【産業上の利用可能性】
【００７４】
本発明にかかる情報記録方法は、データを消去したときにインデックス領域に記録可能領域として登録されなくなる領域が発生しないように記録対象データを記録することができ、インデックス情報で管理される記録媒体の記録可能領域を有効に利用するのに有用である。
【図面の簡単な説明】
【００７５】
【図１】本発明の実施の形態１における情報記録方法のフローチャートを示す図
【図２】本発明の実施の形態１における情報記録方法によるデータ記録配置を説明するための図
【図３】本発明の実施の形態２における情報記録方法のフローチャートを示す図
【図４】本発明の実施の形態２における情報記録方法によるデータ記録配置を説明するための図
【図５】本発明の実施の形態３における情報記録方法のフローチャートを示す図
【図６】本発明の実施の形態３における情報記録方法によるデータ記録配置を説明するための図
【図７】本発明の実施の形態４における情報記録方法のフローチャートを示す図（その１）
【図８】本発明の実施の形態４における情報記録方法のフローチャートを示す図（その２）
【図９】従来の情報記録方法によるデータ記録配置を説明するための図
【図１】
2006099812.tif 000003
【図２】
2006099812.tif 000004
【図３】
2006099812.tif 000005
【図４】
2006099812.tif 000006
【図５】
2006099812.tif 000007
【図６】
2006099812.tif 000008
【図７】
2006099812.tif 000009
【図８】
2006099812.tif 000010
【図９】
2006099812.tif 000011